【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
ワイヤレスデバイス上で通信リンクを有効化する方法であって、
前記ワイヤレスデバイスと、外部構造物内に位置決めされた前記ワイヤレスデバイスに関連付けられた前記外部構造物との間の接続を検出するステップであって、前記外部構造物は1つまたは複数の物理的ボタンおよびメモリを備える、ステップと、
前記接続を検出したことに応答して前記外部構造物の前記メモリ内に格納されている通信アプリケーションをダウンロードするステップと、
前記ダウンロードされた通信アプリケーションを使用して前記ワイヤレスデバイスからリモートサーバへの通信リンクを確立するステップであって、前記ダウンロードされた通信アプリケーションは前記ワイヤレスデバイスに前記リモートサーバへの認証されたアクセスを提供する、ステップとを含む方法。
【請求項２】
前記外部構造物からの前記ワイヤレスデバイスの接続切断を検出したことに応答して前記ダウンロードされた通信アプリケーションをデアクティベートするステップをさらに含む請求項1に記載の方法。
【請求項３】
前記外部構造物は、前記ワイヤレスデバイスを保持するように構成された外部ケースおよびホルスターのうちの1つである請求項1に記載の方法。
【請求項４】
前記ダウンロードされた通信アプリケーションは、プッシュトゥトーク通信アプリケーションであり、前記方法は
前記ワイヤレスデバイスにおいて前記外部構造物からキープレスコードを受信するステップと、
前記外部構造物の前記メモリから受信した前記キープレスコードをプッシュトゥトークアクティベーションイベントとして解釈するステップと、
前記キープレスコードを受信したことに応答してプッシュトゥトーク送信をアクティベートするステップとをさらに含む請求項1に記載の方法。
【請求項５】
前記外部構造物からの前記キープレスコードは、前記外部構造物上の前記物理的ボタンのうちの1つまたは複数の押下に応答して前記ワイヤレスデバイスで受信される請求項4に記載の方法。
【請求項６】
前記外部構造物の前記メモリから前記ワイヤレスデバイスに通信最適化プリセットをダウンロードするステップと、
前記ワイヤレスデバイス上に前記ダウンロードされた通信最適化プリセットを実装するステップとをさらに含む請求項1に記載の方法。
【請求項７】
前記外部構造物の前記メモリから前記ワイヤレスデバイスに1つまたは複数のデータプリセットをダウンロードするステップと、
前記ワイヤレスデバイス上に前記ダウンロードされた1つまたは複数のデータプリセットを実装するステップとをさらに含む請求項1に記載の方法。
【請求項８】
前記ワイヤレスデバイスにおいて前記外部構造物の前記メモリから識別子を受信するステップと、
前記リモートサーバに前記識別子を送信するステップとをさらに含み、
前記ワイヤレスデバイスは、前記識別子に基づき前記リモートサーバから通信サービスを受信する請求項1に記載の方法。
【請求項９】
前記識別子は、前記外部構造物の前記メモリ内に格納され前記リモートサーバに知られているアクセスコードである請求項8に記載の方法。
【請求項１０】
通信アプリケーションを格納したメモリおよび1つまたは複数の物理ボタンを備える外部構造物と、
ワイヤレスデバイスとを備え、前記ワイヤレスデバイスは、
無線周波データモデムと、
メモリと、
前記無線周波データモデムおよび前記メモリに結合されたプロセッサを備え、前記プロセッサは、
前記ワイヤレスデバイスが前記外部構造物内に位置決めされたときに前記外部構造物との接続を検出するステップと、
前記接続を検出したことに応答して前記外部構造物の前記メモリ内に格納されている前記通信アプリケーションをダウンロードするステップと、
前記ダウンロードされた通信アプリケーションを使用してリモートサーバへの通信リンクを確立するステップであって、前記ダウンロードされた通信アプリケーションは前記ワイヤレスデバイスに前記リモートサーバへの認証されたアクセスを提供する、ステップとを含むオペレーションを実行するように構成されている、システム。
【請求項１１】
前記ワイヤレスデバイスの前記プロセッサは、前記外部構造物からの前記ワイヤレスデバイスの接続切断を検出したことに応答して前記ダウンロードされた通信アプリケーションをデアクティベートするステップをさらに含むオペレーションを実行するように構成される請求項10に記載のシステム。
【請求項１２】
前記外部構造物は、前記ワイヤレスデバイスを保持するように構成された外部ケースおよびホルスターのうちの1つである請求項10に記載のシステム。
【請求項１３】
前記ダウンロードされた通信アプリケーションは、プッシュトゥトーク通信アプリケーションであり、前記ワイヤレスデバイスの前記プロセッサは、
キープレスコードを前記外部構造物から受信するステップと、
前記外部構造物の前記メモリから受信した前記キープレスコードをプッシュトゥトークアクティベーションイベントとして解釈するステップと、
前記キープレスコードを受信したことに応答してプッシュトゥトーク送信をアクティベートするステップとをさらに含むオペレーションを実行するように構成される請求項10に記載のシステム。
【請求項１４】
前記外部構造物は、前記外部構造物からの前記キープレスコードが、前記外部構造物上の物理的ボタンのうちの1つまたは複数の押下に応答するように構成される請求項13に記載のシステム。
【請求項１５】
前記ワイヤレスデバイスの前記プロセッサは、
前記外部構造物の前記メモリから通信最適化プリセットをダウンロードするステップと、
前記ワイヤレスデバイス上に前記ダウンロードされた通信最適化プリセットを実装するステップとをさらに含むオペレーションを実行するように構成される請求項10に記載のシステム。
【請求項１６】
前記ワイヤレスデバイスの前記プロセッサは、
前記外部構造物の前記メモリから前記ワイヤレスデバイスに1つまたは複数のデータプリセットをダウンロードするステップと、
前記ワイヤレスデバイス上に前記ダウンロードされた1つまたは複数のデータプリセットを実装するステップとをさらに含むオペレーションを実行するように構成される請求項10に記載のシステム。
【請求項１７】
前記ワイヤレスデバイスの前記プロセッサは、
前記外部構造物の前記メモリから識別子を受信するステップと、
前記リモートサーバに前記識別子を送信するステップとをさらに含むオペレーションを実行するように構成され、
前記リモートサーバは、前記識別子に基づき前記ワイヤレスデバイスに通信サービスを提供する請求項10に記載のシステム。
【請求項１８】
前記識別子は、前記外部構造物の前記メモリ内に格納され前記リモートサーバに知られているアクセスコードである請求項17に記載のシステム。
【請求項１９】
プロセッサ実行可能命令を格納した非一時的コンピュータ可読記憶媒体であって、前記プロセッサ実行可能命令は、ワイヤレスデバイスのプロセッサに
前記ワイヤレスデバイスと、外部構造物内に位置決めされた前記ワイヤレスデバイスに関連付けられた前記外部構造物との間の接続を検出するステップであって、前記外部構造物は1つまたは複数の物理的ボタンおよびメモリを備える、ステップと、
前記接続を検出したことに応答して前記外部構造物の前記メモリ内に格納されている通信アプリケーションをダウンロードするステップと、
前記ダウンロードされた通信アプリケーションを使用して前記ワイヤレスデバイスからリモートサーバへの通信リンクを確立するステップであって、前記ダウンロードされた通信アプリケーションは前記ワイヤレスデバイスに前記リモートサーバへの認証されたアクセスを提供する、ステップとを含むオペレーションを実行させるように構成される、非一時的コンピュータ可読記憶媒体。
【請求項２０】
前記格納されているプロセッサ実行可能命令は、ワイヤレスデバイスの前記プロセッサに前記外部構造物からの前記ワイヤレスデバイスの接続切断を検出したことに応答して前記ダウンロードされた通信アプリケーションをデアクティベートするステップをさらに含むオペレーションを実行させるように構成される請求項19に記載の非一時的コンピュータ可読記憶媒体。
【請求項２１】
前記ダウンロードされた通信アプリケーションは、プッシュトゥトーク通信アプリケーションであり、前記格納されているプロセッサ実行可能命令は、ワイヤレスデバイスの前記プロセッサに
キープレスコードを前記外部構造物から受信するステップと、
前記外部構造物の前記メモリから受信した前記キープレスコードをプッシュトゥトークアクティベーションイベントとして解釈するステップと、
前記キープレスコードを受信したことに応答してプッシュトゥトーク送信をアクティベートするステップとをさらに含むオペレーションを実行させるように構成される請求項19に記載の非一時的コンピュータ可読記憶媒体。
【請求項２２】
前記外部構造物からの前記キープレスコードは、前記外部構造物上の前記物理的ボタンのうちの1つまたは複数の押下に応答して前記ワイヤレスデバイスで受信される請求項21に記載の非一時的コンピュータ可読記憶媒体。
【請求項２３】
前記格納されているプロセッサ実行可能命令は、ワイヤレスデバイスの前記プロセッサに
前記外部構造物の前記メモリから通信最適化プリセットをダウンロードするステップと、
前記ワイヤレスデバイス上に前記ダウンロードされた通信最適化プリセットを実装するステップとをさらに含むオペレーションを実行させるように構成される請求項22に記載の非一時的コンピュータ可読記憶媒体。
【請求項２４】
前記格納されているプロセッサ実行可能命令は、ワイヤレスデバイスの前記プロセッサに
前記外部構造物の前記メモリから1つまたは複数のデータプリセットをダウンロードするステップと、
前記ワイヤレスデバイス上に前記ダウンロードされた1つまたは複数のデータプリセットを実装するステップとをさらに含むオペレーションを実行させるように構成される請求項19に記載の非一時的コンピュータ可読記憶媒体。
【請求項２５】
前記格納されているプロセッサ実行可能命令は、ワイヤレスデバイスの前記プロセッサに
前記外部構造物の前記メモリから識別子を受信するステップと、
前記リモートサーバに前記識別子を送信するステップとをさらに含むオペレーションを実行させるように構成され、
前記ワイヤレスデバイスは、前記識別子を送信するステップに基づき前記リモートサーバから通信サービスを受信する請求項19に記載の非一時的コンピュータ可読記憶媒体。
【請求項２６】
前記識別子は、前記外部構造物の前記メモリ内に格納され前記リモートサーバに知られているアクセスコードである請求項25に記載の非一時的コンピュータ可読記憶媒体。
【請求項２７】
ワイヤレスデバイスと、
前記ワイヤレスデバイスと結合するように構成された外部構造物と、
前記ワイヤレスデバイスと、外部構造物内に位置決めされた前記ワイヤレスデバイスに関連付けられた前記外部構造物との間の接続を検出するための手段であって、前記外部構造物は1つまたは複数の物理的ボタンを備える、手段と、
前記接続を検出したことに応答して前記外部構造物のメモリ内に格納されている通信アプリケーションをダウンロードするための手段と、
前記ダウンロードされた通信アプリケーションを使用して前記ワイヤレスデバイス上でリモートサーバへの通信リンクを確立するための手段であって、前記ダウンロードされた通信アプリケーションは前記ワイヤレスデバイスに前記リモートサーバへの認証されたアクセスを提供する、手段とを備える通信システム。
【請求項２８】
前記外部構造物からの前記ワイヤレスデバイスの接続切断を検出したことに応答して前記ダウンロードされた通信アプリケーションをデアクティベートするための手段をさらに備える請求項27に記載の通信システム。
【請求項２９】
前記外部構造物は、前記ワイヤレスデバイスを保持するように構成された外部ケースおよびホルスターのうちの1つである請求項27に記載の通信システム。
【請求項３０】
前記ダウンロードされた通信アプリケーションは、プッシュトゥトーク通信アプリケーションであり、前記通信システムは、
前記ワイヤレスデバイスにおいて前記外部構造物からキープレスコードを受信するための手段と、
前記外部構造物の前記メモリから受信した前記キープレスコードをプッシュトゥトークアクティベーションイベントとして解釈するための手段と、
前記キープレスコードを受信したことに応答してプッシュトゥトーク送信をアクティベートするための手段とをさらに備える請求項27に記載の通信システム。
【請求項３１】
前記外部構造物は、前記外部構造物からの前記キープレスコードが、前記外部構造物上の前記物理的ボタンのうちの1つまたは複数の押下に応答するように構成される請求項30に記載の通信システム。
【請求項３２】
前記外部構造物の前記メモリから前記ワイヤレスデバイスに通信最適化プリセットをダウンロードするための手段と、
前記ワイヤレスデバイス上に前記ダウンロードされた通信最適化プリセットを実装するための手段とをさらに備える請求項27に記載の通信システム。
【請求項３３】
前記外部構造物の前記メモリから前記ワイヤレスデバイスに1つまたは複数のデータプリセットをダウンロードするための手段と、
前記ワイヤレスデバイス上に前記ダウンロードされた1つまたは複数のデータプリセットを実装するための手段とをさらに備える請求項27に記載の通信システム。
【請求項３４】
前記ワイヤレスデバイスにおいて前記外部構造物の前記メモリから識別子を受信するための手段と、
前記リモートサーバに前記識別子を送信するための手段とをさらに備え、
前記ワイヤレスデバイスは、前記リモートサーバから通信サービスを受信する請求項27に記載の通信システム。
【請求項３５】
前記識別子は、前記外部構造物の前記メモリ内に格納され前記リモートサーバに知られているアクセスコードである請求項34に記載の通信システム。
【請求項３６】
ワイヤレスデバイスと、
取り外し可能な外部構造物とを備え、
前記取り外し可能な外部構造物は、
前記ワイヤレスデバイスに被さって嵌合するように構成されたケース構造物と、
前記ケース構造物上に位置決めされた物理的ボタンと、
前記物理的ボタンに結合された第1の回路と、
通信アプリケーションを格納したメモリと、
前記ワイヤレスデバイスとの接続を行わせるように構成された第2の回路とを備え、
前記ワイヤレスデバイスおよび前記取り外し可能な外部構造物は、前記外部構造物と前記取り外し可能なワイヤレスデバイスとの間の前記接続を検出したことに応答して前記通信アプリケーションを前記ワイヤレスデバイスにダウンロードするように構成され、
前記ワイヤレスデバイスは、前記ダウンロードされた通信アプリケーションを使用してリモートサーバとの通信リンクを確立するように構成され、
前記ダウンロードされた通信アプリケーションは、前記ワイヤレスデバイスに前記リモートサーバへの認証されたアクセスを提供する、通信システム。
【請求項３７】
前記取り外し可能な外部構造物は、前記ワイヤレスデバイス用のケースを含む請求項36に記載の通信システム。
【請求項３８】
前記取り外し可能な外部構造物は、前記ワイヤレスデバイスを保持するように構成されたホルスターを含む請求項36に記載の通信システム。
【請求項３９】
前記取り外し可能な外部構造物は、キープレスコードを前記ワイヤレスデバイスに伝達するステップを含むオペレーションを実行するように構成されるプロセッサをさらに備える請求項36に記載の通信システム。
【請求項４０】
前記物理的ボタンは、前記物理的ボタンの押下で前記第1の回路をアクティベートするように構成され、前記第1の回路は、前記取り外し可能な外部構造物と前記ワイヤレスデバイスとの間の前記接続を介して前記キープレスコードを前記ワイヤレスデバイスに伝達するように構成される請求項39に記載の通信システム。
【請求項４１】
前記取り外し可能な外部構造物は、コネクタポートをさらに備え、前記第1の回路は、前記コネクタポートを介して前記キープレスコードを前記ワイヤレスデバイスに伝達するように構成され、前記取り外し可能な外部構造物は、前記ワイヤレスデバイスが接続されたときに前記コネクタポートを介して前記ワイヤレスデバイスから電力を受ける請求項40に記載の通信システム。
【請求項４２】
前記取り外し可能な外部構造物は、Bluetooth(登録商標)ワイヤレストランシーバをさらに備え、前記第1の回路は、Bluetooth(登録商標)リンクを介して前記キープレスコードを前記ワイヤレスデバイスに伝達する請求項40に記載の通信システム。
【請求項４３】
前記取り外し可能な外部構造物は、ワイヤレスデバイス用の電池から独立している電池をさらに備える請求項36に記載の通信システム。
【請求項４４】
前記取り外し可能な外部構造物は、前記ワイヤレスデバイス用の少なくとも1つの特徴的機能セットを格納するように構成されたメモリをさらに備える請求項36に記載の通信システム。
【請求項４５】
前記少なくとも1つの特徴的機能セットは、グループ通信に関連付けられている1つまたは複数のデータプリセットを含む請求項44に記載の通信システム。
【請求項４６】
前記取り外し可能な外部構造物は、プロセッサをさらに備え、前記プロセッサは、識別子を前記ワイヤレスデバイスに伝達するステップを含むオペレーションを実行するように構成される請求項36に記載の通信システム。
【請求項４７】
前記識別子は、前記ワイヤレスデバイスと前記取り外し可能な外部構造物との間の物理的接続を介して前記ワイヤレスデバイスに伝達される請求項46に記載の通信システム。
【請求項４８】
ワイヤレスデバイスと接続するように構成された構造物と、
前記ワイヤレスデバイスに外部ネットワークとの通信リンクを確立させるように構成されるとともに前記ワイヤレスデバイスに前記外部ネットワークへの認証されたアクセスを提供するように構成された通信アプリケーションを格納したメモリと、
前記ワイヤレスデバイスがケースに接続されたときに前記通信アプリケーションを前記ワイヤレスデバイスに伝達するように構成された通信接続部とを備える、ワイヤレスデバイス用のケース。
【請求項４９】
ワイヤレスデバイスと接続するための手段と、
前記ワイヤレスデバイスに外部ネットワークとの通信リンクを確立させるように構成されるとともに前記ワイヤレスデバイスに前記外部ネットワークへの認証されたアクセスを提供するように構成された通信アプリケーションを格納するための手段と、
前記ワイヤレスデバイスがケースに接続されたときに前記通信アプリケーションを前記ワイヤレスデバイスに伝達するための手段とを備える通信接続部とを備える、ワイヤレスデバイス用のケース。
【請求項５０】
ワイヤレスデバイス上で通信リンクを有効化する方法であって、
前記ワイヤレスデバイスと、外部構造物内に位置決めされた前記ワイヤレスデバイスに関連付けられた前記外部構造物との間の接続を検出するステップであって、前記外部構造物は1つまたは複数の物理的ボタンおよびメモリを備える、ステップと、
前記接続を検出したことに応答して前記外部構造物の前記メモリ内に格納されている通信アプリケーションをダウンロードするステップであって、前記ダウンロードされた通信アプリケーションはプッシュトゥトーク通信アプリケーションである、ステップと、
前記ダウンロードされた通信アプリケーションを使用して前記ワイヤレスデバイスから通信リンクを確立するステップと、
前記ワイヤレスデバイスにおいて前記外部構造物からキープレスコードを受信するステップと、
前記外部構造物の前記メモリから受信した前記キープレスコードをプッシュトゥトークアクティベーションイベントとして解釈するステップと、
前記キープレスコードを受信したことに応答してプッシュトゥトーク送信をアクティベートするステップとを含む方法。
【請求項５１】
通信アプリケーションを格納したメモリを備える外部構造物と、
ワイヤレスデバイスとを備え、前記ワイヤレスデバイスは、
無線周波データモデムと、
メモリと、
前記無線周波データモデムおよび前記メモリに結合されたプロセッサを備え、前記プロセッサは、
前記ワイヤレスデバイスが前記外部構造物内に位置決めされたときに前記外部構造物との接続を検出するステップであって、前記外部構造物は1つまたは複数の物理的ボタンを備える、ステップと、
前記接続を検出したことに応答して前記外部構造物の前記メモリ内に格納されている前記通信アプリケーションをダウンロードするステップであって、前記ダウンロードされた通信アプリケーションはプッシュトゥトーク通信アプリケーションである、ステップと、
前記ダウンロードされた通信アプリケーションを使用して通信リンクを確立するステップと、
キープレスコードを前記外部構造物から受信するステップと、
前記外部構造物の前記メモリから受信した前記キープレスコードをプッシュトゥトークアクティベーションイベントとして解釈するステップと、
前記キープレスコードを受信したことに応答してプッシュトゥトーク送信をアクティベートするステップとを含むオペレーションを実行するように構成されている、システム。
【請求項５２】
プロセッサ実行可能命令を格納した非一時的コンピュータ可読記憶媒体であって、前記プロセッサ実行可能命令は、ワイヤレスデバイスのプロセッサに
前記ワイヤレスデバイスと、外部構造物内に位置決めされた前記ワイヤレスデバイスに関連付けられた前記外部構造物との間の接続を検出するステップであって、前記外部構造物は1つまたは複数の物理的ボタンおよびメモリを備える、ステップと、
前記接続を検出したことに応答して前記外部構造物の前記メモリ内に格納されている通信アプリケーションをダウンロードするステップであって、前記ダウンロードされた通信アプリケーションはプッシュトゥトーク通信アプリケーションである、ステップと、
前記ダウンロードされた通信アプリケーションを使用して前記ワイヤレスデバイスから通信リンクを確立するステップと、
キープレスコードを前記外部構造物から受信するステップと、
前記外部構造物の前記メモリから受信した前記キープレスコードをプッシュトゥトークアクティベーションイベントとして解釈するステップと、
前記キープレスコードを受信したことに応答してプッシュトゥトーク送信をアクティベートするステップとを含むオペレーションを実行させるように構成される、非一時的コンピュータ可読記憶媒体。
【請求項５３】
ワイヤレスデバイスと、
前記ワイヤレスデバイスと結合するように構成された外部構造物と、
前記ワイヤレスデバイスと、外部構造物内に位置決めされた前記ワイヤレスデバイスに関連付けられた前記外部構造物との間の接続を検出するための手段であって、前記外部構造物は1つまたは複数の物理的ボタンを備える、手段と、
前記接続を検出したことに応答して前記外部構造物のメモリ内に格納されている通信アプリケーションをダウンロードするための手段であって、前記ダウンロードされた通信アプリケーションはプッシュトゥトーク通信アプリケーションである、手段と、
前記ダウンロードされた通信アプリケーションを使用して前記ワイヤレスデバイス上で通信リンクを確立するための手段と、
前記ワイヤレスデバイスにおいて前記外部構造物からキープレスコードを受信するための手段と、
前記外部構造物の前記メモリから受信した前記キープレスコードをプッシュトゥトークアクティベーションイベントとして解釈するための手段と、
前記キープレスコードを受信したことに応答してプッシュトゥトーク送信をアクティベートするための手段とを備える通信システム。